(57)【要約】【課題】凝縮水が凍結してできた氷がインペラに巻き込まれ、インペラが変形してしまうことを抑制することのできるコンプレッサハウジングを提供する。【解決手段】内燃機関の過給機におけるコンプレッサハウジング１００には、インペラ４が収容されている。コンプレッサハウジング１００は、収容されたインペラ４に向かって壁面の一部が隆起し、インペラ４に向けて空気を吸入する吸入口５と、インペラ４を通過した空気を送り出すスクロール通路６とを備えている。また、コンプレッサハウジング１００は、吸入口５における壁面が隆起している部分と壁面が隆起していない部分との接続部分のうち、内燃機関に過給機が組み付けられた姿勢において当該コンプレッサハウジング１００の鉛直方向下方に位置する部位に吸入口側開口７１を有する排水孔７を備えている。そして、排水孔７はスクロール通路６へと連通している。【選択図】図１
2015165107.tif 000002
【特許請求の範囲】
【請求項１】
内燃機関の過給機においてインペラを収容するコンプレッサハウジングであり、
収容された前記インペラに向かって壁面の一部が隆起しており、前記インペラに向けて空気を吸入する吸入口と、
前記インペラを通過した空気を送り出すスクロール通路と、
前記吸入口における前記壁面が隆起している部分と前記壁面が隆起していない部分との接続部分のうち、前記内燃機関に前記過給機が組み付けられた姿勢において当該コンプレッサハウジングの鉛直方向下方に位置する部位に吸入口側開口を有し、前記スクロール通路に連通する排水孔と、
を備えるコンプレッサハウジング。
【請求項２】
前記コンプレッサハウジングが、
前記吸入口における前記壁面が隆起していない部分を構成する円筒部及び前記スクロール通路の外周側の壁面を構成するスクロール部を有するスクロール部材と、
前記スクロール部材の前記円筒部に組み付けられて前記吸入口における前記壁面が隆起している部分を構成するインデューサ部及び前記スクロール通路の内周側の壁面を構成するフランジ部を有するシュラウド部材と、
を含み、
前記排水孔が、前記シュラウド部材における前記スクロール部材と当接する面に前記吸入口から前記スクロール通路に亘って形成された溝からなる
請求項１に記載のコンプレッサハウジング。
【請求項３】
前記コンプレッサハウジングが、
前記吸入口における前記壁面が隆起していない部分を構成する円筒部及び前記スクロール通路の外周側の壁面を構成するスクロール部を有するスクロール部材と、
前記スクロール部材の前記円筒部に組み付けられて前記吸入口における前記壁面が隆起している部分を構成するインデューサ部及び前記スクロール通路の内周側の壁面を構成するフランジ部を有するシュラウド部材と、
を含み、
前記排水孔が、前記スクロール部材における前記シュラウド部材と当接する面に前記吸入口から前記スクロール通路に亘って形成された溝からなる
請求項１に記載のコンプレッサハウジング。
【請求項４】
前記排水孔は、
前記内燃機関に前記過給機が組み付けられた姿勢においてスクロール通路側開口が前記吸入口側開口よりも鉛直方向下側に位置するとともに、
前記スクロール通路側開口に繋がる出口部が前記スクロール通路内での空気の流れ方向上流側に向かって傾斜している
請求項１〜３のいずれか一項に記載のコンプレッサハウジング。
【請求項５】
前記排水孔は、
前記内燃機関に前記過給機が組み付けられた姿勢においてスクロール通路側開口が前記吸入口側開口よりも鉛直方向下側に開口するとともに、
前記スクロール通路側開口に繋がる出口部が前記スクロール通路内での空気の流れ方向下流側に向かって傾斜している
請求項１〜３のいずれか一項に記載のコンプレッサハウジング。
【発明の詳細な説明】
【技術分野】
【０００１】
この発明は、内燃機関の過給機に用いられるコンプレッサハウジングに関するものである。
【背景技術】
【０００２】
従来、インペラを収容し、インペラに向けて空気を吸入する吸入口を備えたコンプレッサが知られている。たとえば特許文献１では、吸入口を形成する壁がインペラに近づくにつれ隆起し、吸入口がインペラに向けて縮径した構成が開示されている。
【先行技術文献】
【特許文献】
【０００３】
【特許文献１】実開平１‐１１８１２９号公報
【発明の概要】
【発明が解決しようとする課題】
【０００４】
ところで、低温環境下で機関運転が停止され、コンプレッサハウジングの温度が低下すると、吸気通路内の空気に含まれる水分が凝縮して吸入口に凝縮水が生じることがある。特許文献１に示されるようなコンプレッサでは、吸入口を形成する壁が隆起しており、吸気通路の壁面の角度が途中で変化している。そのため、コンプレッサが傾いた状態で配設されていると、隆起が開始される位置、すなわち壁面が隆起している部分と隆起していない部分との接続部分であり壁面の角度が変化している部分のうち下方に位置する部分が凝縮水の受け皿になり、凝縮水がこの部分に集まって滞留することになる。さらに、こうして滞留した凝縮水は、低温環境下においては凍結することもある。凝縮水が凍結してできた氷が吸入口に存在している状態で内燃機関が運転され、コンプレッサが始動すると、空気の吸入とともにこの氷がインペラに巻き込まれ、インペラが変形する虞がある。
【０００５】
本発明は、このような実情に鑑みてなされたものであり、その目的は、凝縮水が凍結してできた氷がインペラに巻き込まれ、インペラが変形してしまうことを抑制することのできるコンプレッサハウジングを提供することにある。
【課題を解決するための手段】
【０００６】
以下、上記課題を解決するための手段及びその作用効果について記載する。
上記課題を解決するためのコンプレッサハウジングは、内燃機関の過給機においてインペラを収容するコンプレッサハウジングであり、収容された前記インペラに向かって壁面の一部が隆起しており、前記インペラに向けて空気を吸入する吸入口と、前記インペラを通過した空気を送り出すスクロール通路と、前記吸入口における前記壁面が隆起している部分と前記壁面が隆起していない部分との接続部分のうち、前記内燃機関に前記過給機が組み付けられた姿勢において当該コンプレッサハウジングの鉛直方向下方に位置する部位に吸入口側開口を有し、前記スクロール通路に連通する排水孔とを備えることをその要旨とする。
【０００７】
上記構成によれば、凝縮水が滞留しやすい部分に排水孔の吸入口側開口が設けられていることになる。そのため、吸入口の壁面を伝ってこの部分に集まる凝縮水を、排水孔を介してスクロール通路に排出することができる。すなわち上記構成によれば、インペラよりも上流側に位置する吸入口での凝縮水の滞留が抑制されるようになり、低温環境下であっても、吸入口に氷が発生しにくくなる。したがって、凝縮水が凍結してできた氷が空気の吸入とともにインペラに巻き込まれ、インペラが変形してしまうことを抑制することができる。
【０００８】
なお、上記のような排水孔を設けるようにすれば、凝縮水の多くは排水孔を通じてスクロール通路に排出されるようになるため、仮に壁面に付着して残存した凝縮水が凍結して氷が発生したとしても、その氷は非常に小さいものになる。すなわち、上記構成によれば、氷の発生を完全に防止することができなくても、インペラが変形してしまうことを抑制することができる。
【０００９】
また、上記コンプレッサハウジングにおいて、前記コンプレッサハウジングが、前記吸入口における前記壁面が隆起していない部分を構成する円筒部及び前記スクロール通路の外周側の壁面を構成するスクロール部を有するスクロール部材と、前記スクロール部材の前記円筒部に組み付けられて前記吸入口における前記壁面が隆起している部分を構成するインデューサ部及び前記スクロール通路の内周側の壁面を構成するフランジ部を有するシュラウド部材とを含み、前記排水孔が、前記シュラウド部材における前記スクロール部材と当接する面に前記吸入口から前記スクロール通路に亘って形成された溝からなる構成を採用することができる。
【００１０】
また、上記コンプレッサハウジングにおいて、前記コンプレッサハウジングが、前記吸入口における前記壁面が隆起していない部分を構成する円筒部及び前記スクロール通路の外周側の壁面を構成するスクロール部を有するスクロール部材と、前記スクロール部材の前記円筒部に組み付けられて前記吸入口における前記壁面が隆起している部分を構成するインデューサ部及び前記スクロール通路の内周側の壁面を構成するフランジ部を有するシュラウド部材とを含み、前記排水孔が、前記スクロール部材における前記シュラウド部材と当接する面に前記吸入口から前記スクロール通路に亘って形成された溝からなる構成を採用することもできる。
【００１１】
上記構成では、コンプレッサハウジングが、少なくともスクロール部材とシュラウド部材とに分割されており、これらの部材を組み合わせることによってコンプレッサハウジングが構成される。
【００１２】
シュラウド部材におけるスクロール部材と当接する面に吸入口からスクロール通路にまで延びる溝を形成する構成や、スクロール部材におけるシュラウド部材と当接する面に吸入口からスクロール通路にまで延びる溝を形成する構成を採用すれば、スクロール部材をシュラウド部材に組み付けることにより、排水孔が形成されるようになる。このように互いに当接する部材の当接面に溝を設けることにより排水孔を形成する構成であれば、各部材を組み合わせる前の当接面が露出した状態で溝を形成することにより、排水孔を形成するための加工を完了させることができる。そのため、排水孔を形成するための加工が容易になる。
【００１３】
また、上記コンプレッサハウジングでは、前記排水孔は、前記内燃機関に前記過給機が組み付けられた姿勢においてスクロール通路側開口が前記吸入口側開口よりも鉛直方向下側に位置するとともに、前記スクロール通路側開口に繋がる出口部が前記スクロール通路内での空気の流れ方向上流側に向かって傾斜している構成を採用することができる。
【００１４】
上記構成によれば、排水孔におけるスクロール通路側開口に繋がる出口部がスクロール通路内での空気の流れ方向上流側に向かって傾斜しているため、機関運転中にスクロール通路を流れる空気が排水孔を介して吸入口へと流入しやすくなる。こうした吸入口側への空気の流入によって、スクロール通路内における空気の流れの安定化を図ることができ、サージ特性を向上させることができる。
【００１５】
また、上記コンプレッサハウジングでは、前記排水孔は、前記内燃機関に前記過給機が組み付けられた姿勢においてスクロール通路側開口が前記吸入口側開口よりも鉛直方向下側に開口するとともに、前記スクロール通路側開口に繋がる出口部が前記スクロール通路内での空気の流れ方向下流側に向かって傾斜している構成を採用することができる。
【００１６】
上記構成によれば、排水孔におけるスクロール通路側開口に繋がる出口部がスクロール通路内での空気の流れ方向下流側に向かって傾斜しているため、機関運転中にスクロール通路を流れる空気が排水孔を介して吸入口へと流入しにくくなる。ところで、スクロール通路から吸入口への空気の流入量、すなわち吸入口へ逆流する空気の量が多すぎると、コンプレッサの効率が低下してしまう。そこで、上記のように出口部を空気の流れ方向下流側に傾斜させるようにすれば、スクロール通路から吸入口への空気の逆流を抑制し、コンプレッサの効率の低下を抑制することができる。
【図面の簡単な説明】
【００１７】
【図１】第１の実施形態にかかるコンプレッサハウジングを備えた過給機のコンプレッサ部分の構造を示す断面図。
【図２】同実施形態にかかるコンプレッサハウジングを構成するスクロール部材の斜視図。
【図３】同実施形態にかかるコンプレッサハウジングを構成するシュラウド部材の正面図。
【図４】同実施形態にかかるコンプレッサハウジングを構成するシュラウド部材の斜視図。
【図５】コンプレッサハウジングにおけるスクロール通路の模式図。
【図６】第２の実施形態にかかるコンプレッサハウジングを構成するシュラウド部材の正面図。
【図７】同実施形態にかかるコンプレッサハウジングを構成するシュラウド部材の斜視図。
【図８】排水孔の出口部がスクロール通路内を流れる空気の流れ方向上流側に向かって傾斜している状態を示す簡略図。
【図９】排水孔の出口部がスクロール通路内を流れる空気の流れ方向下流側に向かって傾斜している状態を示す簡略図。
【発明を実施するための形態】
【００１８】
（第１の実施形態）
以下、コンプレッサハウジングの第１の実施形態について、図１〜図４を参照して説明する。
【００１９】
図１に示すように、コンプレッサハウジング１００は、スクロール部材１とシュラウド部材２と環状部材３とが組み合わされて構成されている。内燃機関に搭載される過給機のコンプレッサハウジング１００は、インペラ４を収容する。インペラ４は回転軸４１を備え、回転軸４１にインペラ翼４２が固定されている。
【００２０】
以下、インペラ４の回転軸方向を軸方向と称し、インペラ４の回転方向を周方向と称する。また、図１における矢印は鉛直方向下方を示している。本実施形態のコンプレッサハウジング１００を備える過給機は図１に示すように傾けて配設される。
【００２１】
図２に示すように、スクロール部材１は、円筒部１１とスクロール部１２を有している。円筒部１１は、大径部１１ａと小径部１１ｂとが段差部１３を介して接続された形状をなしており、円筒部１１の小径部１１ｂはコンプレッサハウジング１００の吸入口５の一部を構成する。そして、スクロール部１２は、スクロール通路６の外周側の壁面を構成する。また、スクロール部１２には、軸方向に窪んだ係止凹部１４が形成されている。なお、スクロール通路６は、周方向に螺旋状に形成される。
【００２２】
図３及び図４に示すように、シュラウド部材２は、円筒状に形成されたインデューサ部２１を備えている。インデューサ部２１の内周面２１ａは、インデューサ部２１の先端２３から基端２４にかけて内周が縮径するように隆起している。また、インデューサ部２１の基端２４からは、フランジ部２２が外方向に延設されている。
【００２３】
スクロール部材１とシュラウド部材２は、両者を組み付ける際に位相合わせを行う構成を備えている。シュラウド部材２のフランジ部２２には、軸方向に突出した係止凸部２５が形成されおり、この係止凸部２５がスクロール部材１の係止凹部１４と当接することにより、スクロール部材１に対するシュラウド部材２の回動が規制される。このように、本実施形態のコンプレッサハウジング１００では、スクロール部材１とシュラウド部材２とを組合せる際に、スクロール部材１とシュラウド部材２との位相が固定されるようになっている。
【００２４】
また、スクロール部材１の円筒部１１における大径部１１ａに、シュラウド部材２のインデューサ部２１が挿入され、スクロール部材１とシュラウド部材２とが組み合わされたときに円筒部１１の段差部１３とインデューサ部２１の先端２３とが当接して軸方向の移動も規制されるようになっている。すなわち、円筒部１１の段差部１３はインデューサ部２１の先端２３を係止する係止部として機能する。
【００２５】
こうしてスクロール部材１とシュラウド部材２とを組み合わせることによって、図１に示すように、インデューサ部２１が円筒部１１の大径部１１ａに嵌合されると、インデューサ部２１の内周面２１ａが吸入口５の内周面において隆起した部分を構成することになる。なお、このとき、フランジ部２２は、スクロール通路６の内周側の壁面を構成するようになる。
【００２６】
また、環状部材３がスクロール部材１に組み付けられて、スクロール部１２によって構成されるスクロール通路６の外周側の壁面に対向する壁面を構成する。
次に、本実施形態が備える排水孔７について説明する。
【００２７】
図３及び図４に示すように、シュラウド部材２のインデューサ部２１の外周面、すなわち、スクロール部材１と組み合わされたときに円筒部１１の大径部１１ａと当接する面には、溝２６ａが形成されている。溝２６ａは、インデューサ部２１の先端２３と基端２４とを最短距離で結ぶように軸方向に沿って延設されている。また、溝２６ａは、コンプレッサハウジング１００が過給機に組み付けられて車両に搭載されたときの姿勢において鉛直方向下方に位置する部位に形成されている。さらに、シュラウド部材２のフランジ部２２には、スクロール部材１と当接する面に、溝２６ｂが形成されている。溝２６ｂは、溝２６ａと連通しており、フランジ部２２の外周縁に向けて延設されている。
【００２８】
こうした溝２６ａ及び溝２６ｂが設けられていることにより、図１に示すようにシュラウド部材２のインデューサ部２１がスクロール部材１の大径部１１ａに嵌合された状態において、吸入口５からスクロール通路６に亘る排水孔７が形成されることになる。
【００２９】
溝２６ａは、インデューサ部２１の先端２３まで延びているため、排水孔７の吸入口側開口７１は、吸入口５における内周面が隆起している部分と内周面が隆起していない部分との接続部分のうち鉛直方向下方に位置する部位に存在することになる。また、排水孔７のスクロール通路側開口７２は、スクロール通路６に臨むように設けられており、図１に示すように、コンプレッサハウジング１００が過給機として配設される姿勢において、吸入口側開口７１よりも鉛直方向下側に位置している。
【００３０】
また、排水孔７は、吸入口５に生じた凝縮水を排水可能に設けられる。すなわち、溝２６ａ及び溝２６ｂは、凝縮水が通過し得る程度の大きさに形成される。
次に、本実施形態にかかるコンプレッサハウジング１００の作用について、図１を参照して説明する。
【００３１】
コンプレッサハウジング１００では、吸入口５からインペラ４に向けて空気が吸入され、吸入された空気はスクロール通路６を通過して排出される。ところで、低温環境下で機関運転が停止され、コンプレッサハウジング１００の温度が低下すると、吸気通路内の空気に含まれる水分が凝縮して吸入口５に凝縮水が生じることがある。本実施形態のように過給機が傾いた姿勢で配設されていると、吸入口５の内周面において隆起が開始される位置のうち鉛直方向下方の部分、すなわち、インデューサ部２１の先端２３が円筒部１１の段差部１３に当接する部分のうち鉛直方向下方の部分が凝縮水の受け皿になる。すると、凝縮水がこの部分に集まって滞留することになる。
【００３２】
この点、本実施形態では、吸入口５からスクロール通路６に亘る排水孔７を設けているため、吸入口５に発生した凝縮水はこの排水孔７を通じてスクロール通路６へと排水される。空気中から発生する凝縮水は排水孔７に随時流れ込むため、吸入口５に滞留しにくくなる。
【００３３】
以上説明した第１の実施形態によれば、以下の効果が得られるようになる。
（１）吸気通路内の空気に含まれる水分が凝縮して吸入口５に生じた凝縮水を、排水孔７を通じてスクロール通路６へと排水することができる。すなわち、インペラ４よりも上流側に位置する吸入口５での凝縮水の滞留が抑制されるようになり、低温環境下であっても、吸入口５に氷が発生しにくくなる。したがって、空気の吸入とともに氷がインペラ４に巻き込まれることに伴うインペラ４の変形を抑制することができる。なお、排水孔７が設けられており、凝縮水の多くは排水孔７を通じてスクロール通路６に排出されるようになるため、仮に、円筒部１１の壁面に付着して残存した凝縮水が凍結して氷が発生したとしても、その氷は非常に小さいものになる。すなわち、氷の発生を完全に防止することができなくても、インペラ４の変形を抑制することができる。
【００３４】
（２）シュラウド部材２におけるスクロール部材１との当接面に溝２６ａ，２６ｂを形成することによって、排水孔７を形成することができる。つまり、各部材を組み合わせる前の露出した当接面への溝２６ａ，２６ｂの形成によって、排水孔７を形成するための加工を完了させることができる。そのため、排水孔７を形成するうえで、その加工が容易になる。
（第２の実施形態）
図５に示すように、機関運転中には、スクロール通路６では矢印方向に空気が流れる。このとき、スクロール通路６では下流側に向かって空気が次第に圧縮されるため、スクロール通路６内の圧力は、下流側ほど高くなる。
【００３５】
コンプレッサハウジング１００は、図５に示されるような姿勢で配設され、スクロール通路６の出口６ａが鉛直方向上端に設けられている。
上述したようにスクロール通路６内の圧力は下流側ほど高圧であるため、排水孔７のスクロール通路側開口７２をスクロール通路６の出口６ａに近い下流側に設けるほど圧力の高い部分にスクロール通路側開口７２が設けられることになる。その結果、スクロール通路６内の圧力と吸入口５内の圧力との差によって排水孔７を通じてスクロール通路６から吸入口５へと空気が流れ込みやすくなる。すなわち、この場合には、排水孔７を通じてスクロール通路６から吸入口５への空気の逆流が生じやすくなる。一方、スクロール通路側開口７２をスクロール通路６の出口６ａから離れた上流側に設けるほど、圧力の低い部分にスクロール通路側開口７２が設けられることになる。その結果、空気の逆流が抑制されるようになる。
【００３６】
なお、コンプレッサでは、スクロール通路６から吸入口５へ適量の空気を逆流させることにより、サージ特性を向上させることができる。しかし、スクロール通路６から吸入口５へと逆流する空気の量が多すぎる場合には、コンプレッサの効率が低下してしまう。
【００３７】
そこで、第２の実施形態のコンプレッサハウジング１００では、こうしたスクロール通路側開口７２の配設位置の違いによる排水孔７を通じた空気の逆流の生じやすさの変化を考慮してスクロール通路側開口７２の配設位置を設定している。
【００３８】
図６及び図７を用いて、コンプレッサハウジング１００の第２の実施形態について説明する。
本実施形態のコンプレッサハウジング１００では、第１の実施形態のコンプレッサハウジング１００と比較してスクロール通路側開口７２をスクロール通路６における空気の流れ方向上流側にずらした位置に設けるようにしている。
【００３９】
具体的には、図６に示すように、本実施形態のコンプレッサハウジング１００におけるシュラウド部材２では、溝２６ａはコンプレッサハウジング１００が過給機に組み付けられて車両に搭載されたときの姿勢において鉛直方向下方に位置する部位に形成されている。これに対して、溝２６ｂは、上述したように排水孔７を通じた空気の逆流の生じやすさを考慮して、鉛直方向下方に位置する部位から空気の流れ方向上流側にずれた部位に配設されている。
【００４０】
なお、サージ特性とコンプレッサ効率の両立を図ることのできるスクロール通路側開口７２の配設位置の範囲は、実験やシミュレーションを行うことによって割り出すことができる。本実施形態では、サージ特性とコンプレッサ効率の両立を図ることのできるスクロール通路側開口７２の配設位置の範囲が、図６に示されるように鉛直方向下方に位置する部位から空気の流れ方向上流側に３０°までの範囲であることを割り出し、スクロール通路側開口７２がこの範囲内に位置するように、溝２６ｂの配設位置を設定している。
【００４１】
そして、図６及び図７に示すように、本実施形態のシュラウド部材２では、溝２６ａと溝２６ｂとを連通する周方向に延びる溝２６ｃを新たに設け、これらの溝２６ａ，２６ｂ，２６ｃによって排水孔７を構成している。その他の構成は、上記第１の実施形態と共通であるため同一の符号を付して、詳細な説明を省略する。
【００４２】
次に、本実施形態にかかるコンプレッサハウジング１００の作用について説明する。
吸入口５からスクロール通路６に亘る排水孔７を設けているため、吸入口５に発生した凝縮水はこの排水孔７を通じてスクロール通路６へと排水される。空気中から発生する凝縮水は排水孔７に随時流れ込むため、吸入口５に滞留しにくくなる。
【００４３】
また、スクロール通路側開口７２を、過給機に組み付けられるコンプレッサハウジング１００が車両に搭載されるときの姿勢における鉛直方向下方に位置する部位から空気の流れ方向上流側に３０°以内の範囲に設けたことによって、機関運転中に、スクロール通路６から吸入口５への空気の逆流が発生するものの、過度な逆流は抑制されるようになる。
【００４４】
以上説明した第２の実施形態によれば、上記（１），（２）に加え、以下の効果が得られるようになる。
（３）機関運転中に、スクロール通路６を流れる空気が排水孔７を介して吸入口５へと流入するものの、過度な逆流は抑制される。そのため、こうした吸入口５側への空気の流入によって、スクロール通路６内における空気の流れの安定化を図り、サージ特性を向上させることができるとともに、過度の逆流によるコンプレッサ効率の低下も抑制することができる。
【００４５】
なお、上記第２の実施形態は、これを適宜変更した以下の形態にて実施することもできる。
・上記構成では、溝２６ａと溝２６ｂと連通する溝２６ｃを新たに設けることでスクロール通路側開口７２を空気の流れ方向上流側に設ける構成を例示したが、溝２６ｃを設けることなく、溝２６ａを斜めに形成して溝２６ｂに連通させ、スクロール通路側開口７２を空気の流れ方向上流側に設けるようにしてもよい。
（第３の実施形態）
次に、図８を用いてコンプレッサハウジング１００の第３の実施形態について説明する。
【００４６】
本実施形態では、図８に示すように、排水孔７におけるスクロール通路側開口７２に繋がる出口部７３がスクロール通路６内での空気の流れ方向上流側に向かって傾斜している。その他の構成は、上記第１の実施形態と共通であるため同一の符号を付して、詳細な説明を省略する。
【００４７】
こうした構成は、シュラウド部材２のフランジ部２２に形成される溝２６ｂを溝２６ａと連通する部分からスクロール通路側開口７２を構成する端部に向かって空気の流れ方向上流側に傾斜させて設けることにより実現することができる。
【００４８】
次に、本実施形態にかかるコンプレッサハウジング１００の作用について、図８を参照して説明する。
吸入口５からスクロール通路６に亘る排水孔７を設けているため、吸入口５に発生した凝縮水はこの排水孔７を通じてスクロール通路６へと排水される。空気中から発生する凝縮水は排水孔７に随時流れ込むため、吸入口５に滞留しにくくなる。
【００４９】
また、上述したように、機関運転中には、スクロール通路６内における空気は矢印方向に流れるが、出口部７３がスクロール通路６内での空気の流れ方向上流側に向かって傾斜しているために、スクロール通路６を流れる空気が出口部７３から排水孔７内に入り込みやすくなる。そのため、スクロール通路６から吸入口５への空気の逆流が生じやすくなる。
【００５０】
以上説明した第３の実施形態によれば、上記（１），（２）に加え、以下の効果が得られるようになる。
（４）排水孔７におけるスクロール通路側開口７２に繋がる出口部７３がスクロール通路６内での空気の流れ方向上流側に向かって傾斜しているため、機関運転中にスクロール通路６を流れる空気が排水孔７を介して吸入口５へと流入しやすくなる。そのため、こうした吸入口５側への空気の流入によって、スクロール通路６内における空気の流れの安定化を図ることができ、サージ特性を向上させることができる。
【００５１】
その他、上記各実施形態は以下のように変更して実施することもできる。
・上記各実施形態ではシュラウド部材２に溝を設けて排水孔７を形成する構成を例示したが、スクロール部材１に溝を設けて排水孔７を形成してもよい。また、シュラウド部材２及びスクロール部材１の両方に溝を設けて排水孔７を形成してもよい。
【００５２】
これらのいずれの構成であっても、スクロール部材１とシュラウド部材２とを組み合わせる前の各部材の当接面が露出した状態で排水孔７を形成するための加工を完了させることができる。そのため、上記各実施形態と同様に、容易な加工によって排水孔７を形成することができる。
【００５３】
・溝２６ａ及び溝２６ｂは、凝縮水の通過を許容する大きさであればよい。また、上記各実施形態では溝２６ａ及び溝２６ｂを同一の大きさにしていたが、それぞれの大きさが異なっていてもよい。
【００５４】
・上記第２の実施形態と第３の実施形態を適宜組み合わせてもよい。つまり、スクロール通路側開口７２を上流側にずらして設けるとともに、出口部７３を空気の流れ方向上流側に傾斜させてもよい。
【００５５】
・第３の実施形態では、排水孔７におけるスクロール通路側開口７２に繋がる出口部７３をスクロール通路６内での空気の流れ方向上流側に向かって傾斜させた構成を示したが、図９に示すように、出口部７３をスクロール通路６内での空気の流れ方向下流側に向かって傾斜させる構成を採用することもできる。
【００５６】
出口部７３を下流側に傾斜させた場合には、第３の実施形態の場合とは反対に、スクロール通路６内を流れる空気が、排水孔７内に入り込みにくくなる。そのため、スクロール通路６から吸入口５への空気の逆流を抑制し、コンプレッサ効率の低下を抑制することができる。
【００５７】
また、このように出口部７３を下流側に傾斜させる構成を上記第２の実施形態の構成と組み合わせてもよい。つまり、スクロール通路側開口７２を上流側にずらして設けるとともに、出口部７３を空気の流れ方向下流側に傾斜させてもよい。
【００５８】
・上記各実施形態では、コンプレッサハウジング１００がスクロール部材１とシュラウド部材２と環状部材３とを組み合わせることによって構成される例を示したが、コンプレッサハウジング１００は、鋳造によって一体成型したものでもよい。一体成型したものであっても、鋳造後の加工や、鋳造時に中子を用いることによって排水孔７を形成することができる。
【符号の説明】
【００５９】
１…スクロール部材、２…シュラウド部材、４…インペラ、５…吸入口、６…スクロール通路、７…排水孔、１１…円筒部、１２…スクロール部、２１…インデューサ部、２２…フランジ部、２６ａ，２６ｂ，２６ｃ…溝、７１…吸入口側開口、７２…スクロール通路側開口、７３…出口部、１００…コンプレッサハウジング。
【図１】
2015165107.tif 000003
【図２】
2015165107.tif 000004
【図３】
2015165107.tif 000005
【図４】
2015165107.tif 000006
【図５】
2015165107.tif 000007
【図６】
2015165107.tif 000008
【図７】
2015165107.tif 000009
【図８】
2015165107.tif 000010
【図９】
2015165107.tif 000011